(57)【要約】      （修正有）【課題】作業効率が良く、破損の可能性が低いスライド移動規制手段を有するスライドファスナ付き介護用衣服を提供する。【解決手段】スライドファスナ付き介護用衣服は、把持可能な引手３１を有するスライダ３０ｂと、スライダ３０ｂによって開閉される線ファスナ部３０ａとを有するスライドファスナ３０が設けられたスライドファスナ付き介護用衣服であり、スライダ３０ｂの閉め止まり位置部分近傍に、スライダ３０ｂの引手３１を収容可能な筒状部材３４と、スライダ３０ｂ及び筒状部材３４を覆い隠すことが可能な被覆部材３６とが設けられている。【選択図】図２
0003202032.tif 000002
【実用新案登録請求の範囲】
【請求項１】
把持可能な引手を有するスライダと、該スライダによって開閉される線ファスナ部とを有するスライドファスナが設けられたスライドファスナ付き介護用衣服であって、
前記スライダの閉め止まり位置部分近傍に、該スライダの前記引手を収容可能な筒状部材と、該スライダ及び該筒状部材を覆い隠すことが可能な被覆部材とが設けられている
ことを特徴とするスライドファスナ付き介護用衣服。
【請求項２】
前記スライドファスナ付き介護用衣服は、上下一体に形成された介護用つなぎ服である
ことを特徴とする請求項１に記載のスライドファスナ付き介護用衣服。
【請求項３】
前記スライドファスナは、前身頃の襟部から一方の脚の裾部に亘って設けられた正面スライドファスナを備え、
前記正面スライドファスナのスライダの閉め止まり位置部分近傍に、前記筒状部材及び前記被覆部材が設けられている
ことを特徴とする請求項２に記載のスライドファスナ付き介護用衣服。
【請求項４】
前記スライドファスナは、一方の脚の裾部から他方の脚の裾部に亘って設けられた股部スライドファスナを備え、
前記股部スライドファスナのスライダの閉め止まり位置部分近傍に、前記筒状部材及び前記被覆部材が設けられている
ことを特徴とする請求項２又は３に記載のスライドファスナ付き介護用衣服。
【考案の詳細な説明】
【技術分野】
【０００１】
本考案は、スライドファスナが設けられたスライドファスナ付き介護用衣服に関するものである。
【背景技術】
【０００２】
従来、痴呆症等の症状を有する被介護者が自分で勝手に脱衣してしまうことを防止するため、上下一体に形成された介護用つなぎ服が用いられている（特許文献１）。従来の介護用つなぎ服１００は、図４に示すように、襟部１０２近傍から右脚の裾部１０４に亘って設けられた正面スライドファスナ１１０と、右脚の裾部１０４から左脚の裾部１０６に亘って設けられた股部スライドファスナ１１２とを備えている。正面スライドファスナ１１０は、開かれることにより前身頃を左右に分断させ、介護用つなぎ服１００の被介護者に対する着脱を可能にするように構成されている。股部スライドファスナ１１２は、開かれることにより介護用つなぎ服１００の股部分を開口させ、オムツ等の交換を可能にするように構成されている。
【０００３】
従来の介護用つなぎ服１００では、正面スライドファスナ１１０及び股部スライドファスナ１１２の閉め止まり位置部分近傍Ｒ１，Ｒ２にフラップ１１４，１１６が設けられており、正面スライドファスナ１１０及び股部スライドファスナ１１２のスライダ１２０，１３６（図５及び図６参照）を隠すよう構成されている。しかしながら、フラップ１１４，１１６でスライダ１２０，１３６を隠すのみでは、被介護者がフラップ１１４，１１６と衣服表面との間に指を挿入し、スライダを勝手に移動させてしまうおそれがある。このため、従来、例えば図５及び図６に示すように、閉め止まり位置部分近傍Ｒ１，Ｒ２にあるスライド１２０，１３６の移動を規制する種々の手段が講じられている。なお、図５及び図６では、正面スライドファスナ１１０の閉め止まり位置部分近傍Ｒ１の構成のみを図示しているが、股部スライドファスナ１１２の閉め止まり位置部分近傍Ｒ２にも同様の構成が採用されている。
【０００４】
従来の第１の例に係るスライド移動規制手段は、図５に示すように、スライダ１２０の引手１２２の開口１２４に取り付けられた環状の紐部材１２６と、フラップ１１４の内面に取り付けられた雌型ホック１２８と、衣服表面に取り付けられた雄型ホック１３０とからなる。この第１の例に係るスライド移動規制手段は、雄型ホック１３０を囲うよう紐部材１２６を配置した状態で雌型ホック１２８と雄型ホック１３０とを嵌合させ、紐部材１２６を雌型ホック１２８及び雄型ホック１３０の間に引っ掛けることで、スライダ１２０の移動を規制するよう構成されている。
【０００５】
従来の第２の例に係るスライド移動規制手段は、図６に示すように、互いに重なり合うように設けられた第１フラップ１１４ａ及び第２フラップ１１４ｂと、第１フラップ１１４ａの外面に取り付けられた雄型ホック１３２と、第２フラップ１１４ｂの内面に取り付けられた雌型ホック１３４と、雄型ホック１３２を囲うことが可能な大きさを有する引手１３８が取り付けられたスライダ１３６とからなる。この第２の例に係るスライド移動規制手段は、雄型ホック１３２を囲うよう引手１３８を配置した状態で雄型ホック１３２と雌型ホック１３４とを嵌合させ、引手１３８を雄型ホック１３２及び雌型ホック１３４の間に引っ掛けることで、スライダ１３６の移動を規制するよう構成されている。
【先行技術文献】
【特許文献】
【０００６】
【特許文献１】実用新案登録第３１６２５８９号公報
【考案の概要】
【考案が解決しようとする課題】
【０００７】
しかしながら、従来の第１の例に係るスライド移動規制手段では、紐部材１２６が柔軟で、意図せぬ形状に変形することがあるため、フラップ１１４を閉じて雌型ホック１２８と雄型ホック１３０とを嵌合させる作業中、常に紐部材１２６を一方の手で押さえ付けておく必要がある。このため、従来の第１の例に係るスライド移動規制手段では、雌型ホック１２８と雄型ホック１３０とを嵌合させる作業が煩雑であり、作業効率が悪いという問題がある。また、従来の第１の例に係るスライド移動規制手段では、雌型ホック１２８と雄型ホック１３０との間に紐部材１２６が巻込まれるおそれがあり、このように紐部材１２６が巻込まれた場合には、雌型ホック１２８及び雄型ホック１３０が破損するおそれがあるという問題がある。
【０００８】
また、従来の第２の例に係るスライド移動規制手段では、スライダ１３６の引手１３８が大型となるため、洗濯時等に破損するおそれがあるという問題がある。
【０００９】
そこで、本考案は、作業効率が良く、破損の可能性が低いスライド移動規制手段を有するスライドファスナ付き介護用衣服を提供することを目的とする。
【課題を解決するための手段】
【００１０】
以上の目的を達成するため、本考案に係るスライドファスナ付き介護用衣服は、把持可能な引手を有するスライダと、該スライダによって開閉される線ファスナ部とを有するスライドファスナが設けられたスライドファスナ付き介護用衣服であって、前記スライダの閉め止まり位置部分近傍に、該スライダの前記引手を収容可能な筒状部材と、該スライダ及び該筒状部材を覆い隠すことが可能な被覆部材とが設けられていることを特徴とする。
【００１１】
本考案に係るスライドファスナ付き介護用衣服は、上下一体に形成された介護用つなぎ服であるとしても良い。
【００１２】
この場合において、前記スライドファスナは、前身頃の襟部から一方の脚の裾部に亘って設けられた正面スライドファスナを備え、前記正面スライドファスナのスライダの閉め止まり位置部分近傍に、前記筒状部材及び前記被覆部材が設けられることが好ましい。
【００１３】
また、前記スライドファスナは、一方の脚の裾部から他方の脚の裾部に亘って設けられた股部スライドファスナを備え、前記股部スライドファスナのスライダの閉め止まり位置部分近傍に、前記筒状部材及び前記被覆部材が設けられることが好ましい。
【考案の効果】
【００１４】
本考案によれば、作業効率が良く、破損の可能性が低いスライド移動規制手段を有するスライドファスナ付き介護用衣服を提供することができる。
【図面の簡単な説明】
【００１５】
【図１】本考案の一実施形態に係るスライドファスナ付き介護用衣服を概略的に示す正面図である。
【図２】図２（ａ）は、筒状部材にスライダの引手を収容させていない状態におけるスライダの閉め止まり位置部分近傍を概略的に示す部分拡大図であり、図２（ｂ）は、筒状部材にスライダの引手を収容させた状態におけるスライダの閉め止まり位置部分近傍を概略的に示す部分拡大図であり、図２（ｃ）は、フラップを閉じた状態におけるスライダの閉め止まり位置部分近傍を概略的に示す部分拡大図である。
【図３】本実施形態に係る筒状部材の概略構成を示す斜視図である。
【図４】従来の介護用つなぎ服を示す正面図である。
【図５】従来の第１の例に係るスライド移動規制手段を示す正面図である。
【図６】従来の第２の例に係るスライド移動規制手段を示す正面図である。
【考案を実施するための形態】
【００１６】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１７】
本実施形態に係るスライドファスナ付き介護用衣服１は、図１に示すように、肩部２０から右脚の裾部２２及び左脚の裾部２４に亘る前面を形成する前身頃１２と、肩部２０から両脚の裾部２２、２４に亘る背面を形成する後身頃部（図示せず）と、右腕及び左腕の袖を形成する左右一対の袖部１４，１６と、襟を形成する襟部１８とを形成する複数の生地が縫合されることにより、上下一体に形成された介護用つなぎ服である。
【００１８】
本実施形態に係るスライドファスナ付き介護用衣服１の前身頃１２には、従来の介護用つなぎ服と同様に、襟部１８から一方の脚の裾部（本実施形態では右脚の裾部２２）に亘って、正面スライドファスナ３０が設けられている。また、本実施形態に係るスライドファスナ付き介護用衣服１の前身頃１２の股部分には、従来の介護用つなぎ服と同様に、右脚の裾部２２から左脚の裾部２４に亘って、股部スライドファスナ３２が設けられている。
【００１９】
正面スライドファスナ３０は、図１及び図２に示すように、前身頃１２の襟部１８から右脚の裾部２２に亘って設けられた線ファスナ部３０ａと、線ファスナ部３０ａに沿って移動可能に設けられたスライダ３０ｂとを有している。スライダ３０ｂは、図２に示すように、線ファスナ部３０ａに沿って移動可能なスライダ本体（図示せず）と、スライダ本体に取り付けられ、把持可能に構成された引手３１とを有している。
【００２０】
この正面スライドファスナ３０は、線ファスナ部３０ａの襟部１８側の端部（上端部）から右脚の裾部２２側の端部（下端部）に向けてスライダ３０ｂを移動させることにより線ファスナ部３０ａを開くことが可能で、かつ、線ファスナ部３０ａの下端部から上端部に向けてスライダ３０ｂを移動させることにより線ファスナ部３０ａを閉じることが可能に構成されている。以上の構成を備える正面スライドファスナ３０によれば、スライダ３０ｂによって線ファスナ部３０ａを開くことにより、前身頃１２を左右に分断させ、スライドファスナ付き介護用衣服１の被介護者に対する着脱を可能にすることができる。
【００２１】
股部スライドファスナ３２は、正面スライドファスナ３０と同様に、把持可能な引手を有するスライダ（図示せず）と、スライダによって開閉される線ファスナ部３２ａとを有している。この股部スライドファスナ３２は、右脚の裾部２２側の端部から左脚の裾部２４側の端部に向けてスライダを移動させることにより線ファスナ部３２ａを開くことが可能で、かつ、左脚の裾部２４側の端部から右脚の裾部２２側の端部に向けてスライダを移動させることにより線ファスナ部３２ａを閉じることが可能に構成されている。以上の構成を備える股部スライドファスナ３２によれば、スライダによって線ファスナ部３２ａを開くことにより、スライドファスナ付き介護用衣服１の股部分を開口させ、オムツ等の交換を可能にすることができる。
【００２２】
正面スライドファスナ３０のスライダ３０ｂの閉め止まり位置近傍Ｒ１及び股部スライドファスナ３２のスライダの閉め止まり位置近傍Ｒ２には、図２（ａ）〜図２（ｃ）に示すように、それぞれ、スライダ３０ｂの引手３１を収容可能な筒状部材３４（スライド移動規制手段）と、スライダ３０ｂ及び筒状部材３４を覆い隠すことが可能な被覆部材３６，３８とが設けられている。なお、本実施形態に係るスライドファスナ付き介護用衣服１において、股部スライドファスナ１１２の筒状部材（図示せず）及び被覆部材３８は、正面スライドファスナ１１０の筒状部材３４及び被覆部材３６と概ね同様の構成を採用することが可能であるため、その説明を省略する。
【００２３】
筒状部材３４は、図２（ａ）、図２（ｂ）及び図３に示すように、閉め止まり位置に到達した状態のスライダ３０ｂの引手３１と整合する位置に取り付けられた円筒状の布部材からなり、スライダ３０ｂの引手３１を収容可能な径及び長さを有している。この筒状部材３４は、帯状の布部材をループ状にして、その一端部３４ａ及び他端部３４ｂを衣服表面とホック付き布部材４０との間に挿入した状態で、補強布部材４０を衣服表面に縫合することで、取り付けられている。筒状部材３４は、図２（ｂ）に示すように、閉め止まり位置に到達した状態（図２（ａ）の状態）のスライダ３０ｂの引手３１が収容されることで、スライダ３０ｂの移動を規制するよう構成されている。
【００２４】
被覆部材３６は、図２（ａ）〜図２（ｃ）に示すように、矩形状の布部材からなるフラップ部材であり、線ファスナ部３０ａに沿った側縁部が前身頃１２に縫合されることにより、スライダ３０ｂ及び筒状部材３４を露出させた状態（図２（ａ）及び図２（ｂ）の状態）と、スライダ３０ｂ及び筒状部材３４を覆い隠した状態（図２（ｃ）の状態）との間において開閉移動可能に構成されている。被覆部材３６の内面には、衣服表面に縫合された補強布部材４０に取り付けられた雄型ホック４２と嵌合可能な雌型ホック４４が取り付けられている。雌型ホック４４は、特別な操作（例えば、図２（ｃ）に示す外面側の中央部４４ａを押圧する操作や、中央部４４ａにマグネットを磁着させる操作等）が無ければ雄型ホック４２との嵌合が解除されないロック機能付きのホックであることが好ましい。
【００２５】
以上のとおり、本実施形態に係るスライドファスナ付き介護用衣服１は、把持可能な引手３１を有するスライダ３０ｂと、スライダ３０ｂによって開閉される線ファスナ部３０ａとを有するスライドファスナ３０が設けられたスライドファスナ付き介護用衣服１であって、スライダ３０ｂの閉め止まり位置部分近傍Ｒ１，Ｒ２に、スライダ３０ｂの引手３１を収容可能な筒状部材３４と、スライダ３０ｂ及び筒状部材３４を覆い隠すことが可能な被覆部材３６とが設けられている。
【００２６】
このようなスライドファスナ付き介護用衣服１によれば、筒状部材３４にスライダ３０ｂの引手３１を挿入し、スライダ３０ｂの移動を規制すると共に、これらスライダ３０ｂ及び筒状部材３４を被覆部材３６によって覆い隠すことができるため、痴呆症等の症状を有する被介護者が自分で勝手に脱衣してしまうことを防止することができる。
【００２７】
特に、本実施形態に係るスライドファスナ付き介護用衣服１では、作業効率が良く、破損の可能性が低いという特有の利点を有している。すなわち、本実施形態に係るスライドファスナ付き介護用衣服１では、筒状部材３４にスライダ３０ｂの引手３１を挿入するのみでスライダ３０ｂの移動を規制するよう構成されていることから、被覆部材３６の雌型ホック４４を雄型ホック４２に嵌合させる際にスライダ３０ｂの引手３１を押さえ付ける作業等を行う必要が一切無く、また、筒状部材３４やスライダ３０ｂの引手３１が雌型ホック４４と雄型ホック４２との間に巻き込まれるおそれも一切無い。また、本実施形態に係るスライドファスナ付き介護用衣服１では、従来の第２の例に係るスライド移動規制手段のような大型の引手１３８を有するスライダ１３６を用いる必要が無く、既存のスライドファスナを用いることができるため、製造コストを抑えることができると共に、洗濯時等における破損のリスクを抑えることができる。
【００２８】
以上、本考案の好適な実施形態について説明したが、本考案の技術的範囲は、上述した実施形態に記載の範囲には限定されない。上記各実施形態には、多様な変更又は改良を加えることが可能である。
【００２９】
例えば、上述した実施形態の説明では、スライドファスナ付き介護用衣服１が、正面スライドファスナ３０及び股部スライドファスナ３２を備えた介護用つなぎ服であるものとして説明したが、これに限定されるものではなく、スライダの閉め止まり位置部分近傍に筒状部材及び被覆部材が設けられたスライドファスナ付き介護用衣服であれば、いかなるタイプの衣服であっても良い。
【００３０】
また、上述した実施形態の説明では、正面スライドファスナ３０の線ファスナ部３０ａの上端部（襟部１８側の端部）がスライダ３０ｂの閉め止まり位置であり、股部スライドファスナ３２の線ファスナ部３２ｂの右脚の裾部２２側の端部がスライダの閉め止まり位置であるものとして説明したが、これに限定されるものではない。正面スライドファスナ３０の線ファスナ部３０ａの下端部（右脚の裾部２２側の端部）がスライダ３０ｂの閉め止まり位置であるとしても良いし、股部スライドファスナ３２の線ファスナ部３２ｂの左脚の裾部２４側の端部がスライダの閉め止まり位置であるとしても良い。また、正面スライドファスナ３０の線ファスナ部３０ａの中途部（腹部付近）がスライダ３０ｂの閉め止まり位置であるとしても良く、さらに、例えば袖部１４，１６にスライドファスナが設けられる場合には、袖部１４，１６の袖口部分がスライダの閉め止まり位置であるとしても良い。
【符号の説明】
【００３１】
１  スライドファスナ付き介護用衣服、１２  前身頃、１８  襟部、２２  右脚の裾部（一方の脚の裾部）、２４  左脚の裾部（他方の脚の裾部）、３０  正面スライドファスナ（スライドファスナ）、３０ａ  線ファスナ部、３０ｂ  スライダ、３１  引手、３２  股部スライドファスナ（スライドファスナ）、３２ａ  線ファスナ部、３４  筒状部材、３６，３８  被覆部材、Ｒ１，Ｒ２  スライダの閉め止まり位置部分近傍
【図１】
0003202032.tif 000003
【図２】
0003202032.tif 000004
【図３】
0003202032.tif 000005
【図４】
0003202032.tif 000006
【図５】
0003202032.tif 000007
【図６】
0003202032.tif 000008